(57)【要約】【課題】使用者が意図しないような器具の状態でチャイルドロックモードに移行してしまうような事態を防止できる器具の安全装置を提供する。【解決手段】特定操作スイッチ６，７を操作した状態が同時に成立するとチャイルドロックモードに移行する安全装置において、両特定操作スイッチ６，７のそれぞれの操作開始時点の間の時間内で特定操作スイッチ６，７以外の操作スイッチ５，８〜１０が操作されたときにはチャイルドロックモードに移行しない。あるいは、両特定操作スイッチ６，７のうちの先行側の操作スイッチの操作開始直前における器具の状態に対して、後行側の操作スイッチの操作時の器具の状態が自動運転等によって変化するような場合には、チャイルドロックモードに移行しない。【選択図】図２
2004044888.tif 000002
【特許請求の範囲】
【請求項１】
器具の複数の操作スイッチのうちのあらかじめ定められた２つ以上の特定操作スイッチの全てが操作された状態が同時に成立したとき、チャイルドロックモードへの移行の指示と判断して、該器具の状態を該チャイルドロックモードにする安全装置において、
前記特定操作スイッチのうちの一つの特定操作スイッチの操作開始時点と他の一つ以上の特定操作スイッチの操作開始時点との間の時間内において該特定操作スイッチ以外の他の操作スイッチが操作されたときには、前記特定操作スイッチの操作により該特定操作スイッチの全てが操作された状態が同時に成立してもチャイルドロックモードへの移行を禁止することを特徴とする器具の安全装置。
【請求項２】
前記特定操作スイッチのうちの一つの特定操作スイッチの操作開始時点と他の一つ以上の特定操作スイッチの操作開始時点との間の時間内において該特定操作スイッチ以外の他の操作スイッチの操作が無く、且つ、該特定操作スイッチの全てが操作された状態が同時に成立したときには、該特定操作スイッチのうちの最初に操作が開始された特定操作スイッチの操作開始時点と最後に操作が開始された特定操作スイッチの操作開始時点との間の時間差によらずに器具の状態をチャイルドロックモードに移行させることを特徴とする請求項１記載の器具の安全装置。
【請求項３】
器具の複数の操作スイッチのうちのあらかじめ定められた２つ以上の特定操作スイッチの全てが操作された状態が同時に成立したとき、チャイルドロックモードへの移行の指示と判断して、該器具の状態を該チャイルドロックモードにする安全装置において、
前記特定操作スイッチの全ての非操作状態から該特定操作スイッチのうちの一つの特定操作スイッチの操作が開始された直前の器具の状態のうち、前記チャイルドロックモードで状態変更が禁止されるロック対象状態に対して、該特定操作スイッチの全てが操作された状態になった時の器具のロック対象状態が異なるか否かを判断する手段を備え、その器具の両ロック対象状態が異なるとき、前記特定操作スイッチの操作により該特定操作スイッチの全てが操作された状態が同時に成立してもチャイルドロックモードへの移行を禁止することを特徴とする器具の安全装置。
【請求項４】
前記特定操作スイッチの全ての非操作状態から該特定操作スイッチのうちの一つの特定操作スイッチの操作が開始された直前の器具のロック対象状態と該特定操作スイッチの全てが操作された状態になった時の器具のロック対象状態とが同一であると判断したときには、該特定操作スイッチのうちの最初に操作が開始された特定操作スイッチの操作開始時点と最後に操作が開始された特定操作スイッチの操作開始時点との間の時間差によらずに器具の状態をチャイルドロックモードに移行させることを特徴とする請求項３記載の器具の安全装置。
【発明の詳細な説明】
【０００１】
【発明の属する技術分野】
本発明は、温風暖房機等の器具の安全装置に関し、より詳しくは、器具のチャイルドロックモードの機能に関する。
【０００２】
【従来の技術】
温風暖房機等の器具では、子供や幼児が不用意に器具の運転操作を行ってしまうことを防止するために、チャイルドロックモードといわれる機能を備えたものが知られている。このチャイルドロックモードは、器具の各操作スイッチを操作することにより該器具にて本来実行される所定の機能、例えば運転モードの切換や、運転条件の設定・変更、表示器の表示モードの設定・変更等の機能を制限し、それらの機能に基づく器具の本来の状態変更を不能とするモードである。例えば、温風暖房機等の燃焼器具では、器具のチャイルドロックモードがＯＮにされている状態では、器具の運転スイッチのＯＦＦ操作による器具の運転停止（燃焼運転の停止）しか行うことができないようにして、運転停止状態からの器具の運転開始、あるいは、運転モードや目標室温の設定・変更等、器具の状態変更を行うことを禁止することが一般的に行われている。
【０００３】
このようなチャイルドロックモードの機能を備えた器具では、そのチャイルドロックモードをＯＮ／ＯＦＦするための専用の操作スイッチを器具に備えたものが知られている。しかし、その専用の操作スイッチを子供や幼児が操作すれば、チャイルドロックモードを解除したりすることが可能であるため、子供や幼児による器具の運転操作を確実に防止する上では不十分である。また、チャイルドロックモード用の専用のスイッチを設けたり、それを隠すための蓋を備えたりすることはコスト的にも不利である。
【０００４】
このため、例えば特開平２−２３００１８号公報や特開平６−２１３４３４号公報に見られるように、器具にあらかじめ備えられた各種の機能に係わる複数の操作スイッチのうち、あらかじめ定めた２つ以上の複数の特定操作スイッチを同時に操作（具体的には押し操作）することで、チャイルドロックモードのＯＮ／ＯＦＦを行うようにしたものが知られている。尚、特開平６−２１３４３４号公報のものでは、チャイルドロックモードに器具の状態を移行させる場合（チャイルドロックモードをＯＮにする場合）、２つの特定操作スイッチの操作開始タイミングの時間差が所定時間（例えば０．５秒）以内となるようにそれらの特定操作スイッチを同時に操作することがチャイルドロックモードへの移行条件となっている。
【０００５】
これらの器具では、既存の操作スイッチを前記特定操作スイッチとして用いるため、チャイルドロックモードに専用の操作スイッチが不要となる。また、チャイルドロックモードのＯＮ／ＯＦＦが２つ以上の特定操作スイッチの複合操作によって行われるため、該チャイルドロックモードのＯＮ／ＯＦＦを子供や幼児が簡単には行うことができなくなり、これらの点で利点がある。
【０００６】
【発明が解決しようとする課題】
しかし、前記公報に見られるような従来の技術では、次のような不都合を生じる虞れもあった。すなわち、例えば手指の大きい使用者が、器具の状態をチャイルドロックモードにするために、複数の特定操作スイッチ、例えば２つの特定操作スイッチを同時に操作（押し操作）しようとしたとき、それらの２つの特定操作スイッチだけでなく、いずれか一方の特定操作スイッチに隣接する他の操作スイッチ（特定操作スイッチ以外の操作スイッチ）にも指が当接し、当該他の操作スイッチをも意図せずに操作してしまう場合が多々ある。そして、このような場合に、２つの特定操作スイッチの実際の操作開始時点に多少の時間差があり、且つ、それらの操作開始時点の間の時間内で前記他の操作スイッチが操作されていると、当該他の操作スイッチの操作に基づいて器具の状態が変化した直後にチャイルドロックモードに移行してしまうことがある。また、２つの特定操作スイッチだけが同時操作された場合であっても、例えば２つの特定操作スイッチの実際の操作開始時点の間の時間内で器具の自動運転機能（器具のタイマ運転等）によって器具の運転状態が変化してしまう場合がある。また、器具の仕様によっては、特定の条件下で特定操作スイッチのうちの所定の特定操作スイッチを操作すると通常の場合と異なる機能を発揮させるようにする場合がある。そして、このような場合には、上記特定の条件下で、チャイルドロックモードをＯＮにするために全ての特定操作スイッチを操作状態にすると、その特定操作スイッチのうちの所定の特定操作スイッチの操作によって器具の状態が変化してしまう場合がある。
【０００７】
そして、上記のように特定操作スイッチの全てを操作状態にする際に、器具の自動運転機能や仕様によって器具の状態が変化するような場合には、その変化した直後にチャイルドロックモードに移行してしまう。従って、このような場合におけるチャイルト゛ロックモードへの移行（チャイルドロックモードのＯＮ）は、本来、使用者が意図している器具の状態（特定操作スイッチの同時操作を開始する直前の器具の状態）とは異なる状態で行われることとなる。このため、使用者は、器具の所望の状態でチャイルドロックモードをＯＮにするためには、チャイルドロックモードを一旦、解除して、器具の状態を戻した後に、改めてチャイルドロックモードをＯＮにする操作を行わなければならない。
【０００８】
さらに、前記特開平６−２１３４３４号公報のものでは、２つの特定操作スイッチを、所定時間内（同公報のものでは例えば０．５秒）で操作することをチャイルドロックモードへの移行条件としているため、人によっては、チャイルドロックモードへの移行操作を行いづらいものとなるという不都合があった。
【０００９】
本発明はこのような背景に鑑みてなされたものであり、使用者が意図しないような器具の状態でチャイルドロックモードに移行してしまうような事態を防止し、チャイルドロックモードの機能の操作性を向上することができる器具の安全装置を提供することを目的とするものである。さらにはチャイルドロックモードへの移行操作を不具合なく行うことができる器具の安全装置を提供することを目的とするものである。
【００１０】
【課題を解決するための手段】
本発明の器具の安全装置は、かかる目的を達成するために、２つの態様がある。そして、その第１の態様は、器具の複数の操作スイッチのうちのあらかじめ定められた２つ以上の特定操作スイッチの全てが操作された状態が同時に成立したとき、チャイルドロックモードへの移行の指示と判断して、該器具の状態を該チャイルドロックモードにする安全装置において、前記特定操作スイッチのうちの一つの特定操作スイッチの操作開始時点と他の一つ以上の特定操作スイッチの操作開始時点との間の時間内において該特定操作スイッチ以外の他の操作スイッチが操作されたときには、前記特定操作スイッチの操作により該特定操作スイッチの全てが操作された状態が同時に成立してもチャイルドロックモードへの移行を禁止することを特徴とするものである。
【００１１】
かかる本発明の第１の態様によれば、器具の状態をチャイルドロックモードにするために使用者が前記特定操作スイッチの全てを操作する際に、例えば、該特定操作スイッチのうちのいずれか一つを操作したときにその操作をした指が該特定操作スイッチに隣接する他の操作スイッチ（特定操作スイッチ以外の操作スイッチ）に誤って当接する等して、一つの特定操作スイッチの操作開始時点と他の一つ以上の特定操作スイッチの操作開始時点との間の時間内において上記他の操作スイッチが操作されたときには、該他の操作スイッチの操作開始時点の前後にかけての前記特定操作スイッチの一連の操作によって最終的に該特定操作スイッチの全てが操作された状態が同時に成立するようになってもチャイルドロックモードへの移行が禁止される。このため、上記他の操作スイッチの操作によって、器具の状態（運転モードの状態や器具に備えた表示器の状態、あるいは操作スイッチの操作によって設定可能な器具の運転条件の設定データ等）が変化しても、その変化後の器具の状態でチャイルドロックモードに移行する（チャイルドロックモードがＯＮになる）ことがない。
【００１２】
この結果、使用者が意図しない状態、すなわち、使用者が前記特定操作スイッチの全てを操作する際における上記他の操作スイッチの誤操作によって器具の状態が変更された状態でチャイルドロックモードに移行してしまうような事態を防止できる。従って、本発明の第１の態様によれば、使用者が意図しないような器具の状態でチャイルドロックモードがＯＮになるような事態を防止することができ、ひいてはチャイルドロックモードの機能の操作性を向上することができる。
【００１３】
また、本発明の器具の安全装置の第２の態様は、器具の複数の操作スイッチのうちのあらかじめ定められた２つ以上の特定操作スイッチの全てが操作された状態が同時に成立したとき、チャイルドロックモードへの移行の指示と判断して、該器具の状態を該チャイルドロックモードにする安全装置において、前記特定操作スイッチの全ての非操作状態から該特定操作スイッチのうちの一つの特定操作スイッチの操作が開始された直前の器具の状態のうち、前記チャイルドロックモードで状態変更が禁止されるロック対象状態に対して、該特定操作スイッチの全てが操作された状態になった時の器具のロック対象状態が異なるか否かを判断する手段を備え、その器具の両ロック対象状態が異なるとき、チャイルドロックモードへの移行を禁止することを特徴とする。
【００１４】
かかる本発明の第２の態様によれば、器具の状態をチャイルドロックモードにするために使用者が前記特定操作スイッチの全てを操作する際に、該特定操作スイッチのうちの一つを最初に操作し始めた直前から該特定操作スイッチの全てを操作し終えるまでに、器具の自動運転機能（例えばタイマ運転等）や、特定の条件下における該特定操作スイッチのいずれかの操作による所定の機能等によって、器具のロック対象状態（例えば運転状態や器具に備えた表示器の状態、あるいは操作スイッチの操作によって設定可能な器具の運転条件の設定データ等のうち、チャイルドロックモードで状態変更が禁止される器具の状態）が変更されたときには、その変更の前後にわたる前記特定操作スイッチの一連の操作によって最終的に該特定操作スイッチの全てが操作された状態が同時に成立するようになってもチャイルドロックモードへの移行が禁止される。このため、変更後の器具の状態でチャイルドロックモードに移行する（チャイルドロックモードがＯＮになる）ことがない。
【００１５】
この結果、使用者が意図しない状態、すなわち、使用者が前記特定操作スイッチの全てを操作する際における上記他の操作スイッチの誤操作や器具の自動運転によって器具の状態が、特定操作スイッチの全ての操作を開始し始める直前の状態から変更された状態でチャイルドロックモードに移行してしまうような事態を防止できる。従って、本発明の第２の態様によれば、使用者が意図しないような器具の状態でチャイルドロックモードがＯＮになるような事態を防止することができ、チャイルドロックモードの機能の操作性を向上することができる。
【００１６】
前述した本発明の第１の態様では、さらに、前記特定操作スイッチのうちの一つの特定操作スイッチの操作開始時点と他の一つ以上の特定操作スイッチの操作開始時点との間の時間内において該特定操作スイッチ以外の他の操作スイッチの操作が無く、且つ、該特定操作スイッチの全てが操作された状態が同時に成立したときには、該特定操作スイッチのうちの最初に操作が開始された特定操作スイッチの操作開始時点と最後に操作が開始された特定操作スイッチの操作開始時点との間の時間差によらずに器具の状態をチャイルドロックモードに移行させることが好適である。
【００１７】
同様に、前記本発明の第２の態様では、前記特定操作スイッチの全ての非操作状態から該特定操作スイッチのうちの一つの特定操作スイッチの操作が開始された直前の器具のロック対象状態と該特定操作スイッチの全てが操作された状態になった時の器具のロック対象状態とが同一であると判断したときには、該特定操作スイッチのうちの最初に操作が開始された特定操作スイッチの操作開始時点と最後に操作が開始された特定操作スイッチの操作開始時点との間の時間差によらずに器具の状態をチャイルドロックモードに移行させることが好適である。
【００１８】
これによれば、特定操作スイッチの全ての同時操作の際に、特定操作スイッチ以外の他の操作スイッチが誤操作されたり、器具の状態が変更されたりしない場合には、特定操作スイッチの相互の操作開始時点に時間差があっても、最終的に特定操作スイッチの全てが同時に操作された状態になれば、器具の状態はチャイルドロックモードに移行する。従って、使用者は、器具の状態をチャイルドロックモードにするとき、特定操作スイッチの相互の操作開始時点を揃える必要はなく、例えばそれらの特定操作スイッチを順番にゆっくり操作していくようにしてもよい。この結果、チャイルドロックモードへの移行操作を不具合なく容易に行うことができ、チャイルドロックモードの機能の操作性を向上することができる。さらには、チャイルドロックモードへの移行操作が容易になることから、該移行操作を行う際に、特定操作スイッチ以外の他の操作スイッチを誤って操作してしまうような事態が発生するのを低減することもできる。
【００１９】
【発明の実施の形態】
本発明の第１実施形態を図１〜図３を参照して説明する。本実施形態は例えば燃焼器具としての温風暖房機の安全装置に関する実施形態である。
【００２０】
図１を参照して、１は温風暖房機Ａのコントローラ（電子制御ユニット）、２は温風暖房機Ａの操作パネル（操作器）である。尚、温風暖房機Ａは例えばガス温風暖房機である。
【００２１】
コントローラ１は、本発明における安全装置としての機能を有するものであり、図示を省略するマイクロコンピュータ等を含む電子回路により構成されている。このコントローラ１には、操作パネル２の後述する操作スイッチやランプ、表示器等が電気的に接続されていると共に、室温センサ等のセンサ類３と、図示を省略するバーナへの燃料供給路の開閉電磁弁や燃料供給量調整弁（ガス比例弁）、ファンモータ（温風送風用のファンモータやバーナの燃焼用のファンモータ）、イグナイタ等のアクチュエータ類４とが電気的に接続されている。そして、コントローラ１は、操作パネル２の後述する操作スイッチの操作による指示信号や、センサ類３による検出信号、あらかじめ定められたプログラム、設定データ等に基づいてアクチュエータ類４の動作を制御し、温風暖房機Ａの所要の暖房運転（温調運転等）を行わしめる。
【００２２】
尚、温風暖房機Ａのバーナの燃焼や温風の送風に係わる機構的構成、及びそれらの作動は公知のものであると共に、本発明の本質をなすものではないので、ここでは詳細な説明は省略する。
【００２３】
前記操作パネル２の構成を図２を参照して説明する。操作パネル２には、操作スイッチとして、運転入／切スイッチ５、アップスイッチ６、ダウンスイッチ７、おはようスイッチ８、おやすみスイッチ９、時刻合わせスイッチ１０が備えられている。また、操作パネル２には、時刻情報（現在時刻もしくは後述のおはよう運転モードに係わる予約時刻）や設定室温（目標室温）、現在室温（現在室温の検出値）をデジタル表示するための一対の表示器１１ａ，１１ｂが備えられている。さらに、操作パネル２には、温風暖房機Ａの動作状態（温風暖房機Ａの運転モードや表示器１１ａ，１１ｂの表示モード等）を報知するための報知ランプとして、午前ランプ１２、午後ランプ１３、時計ランプ１４、おはようランプ１５、チャイルドロックランプ１６が備えられている。
【００２４】
前記各スイッチ５〜１０は非ロック式押しボタンタイプの操作スイッチであり、それらが押し操作されているときに、その旨を示す信号がコントローラ１に入力されるようになっている。各スイッチ５〜１０の機能を説明すると、運転入／切スイッチ５は、温風暖房機Ａの運転の開始あるいは停止をコントローラ１に指示するためのスイッチ、アップスイッチ６は、前記表示器１１ａ，１１ｂにより表示される時刻を進ませたり、設定室温を増加させるためのスイッチ、ダウンスイッチ７は、表示器１１ａ，１１ｂにより表示される時刻を遅らせたり、設定室温を減少させるためのスイッチである。尚、アップスイッチ６及びダウンスイッチ７は、その両者を合わせて、後述するチャイルドロックモードのＯＮ／ＯＦＦをコントローラ１に指示するための特定操作スイッチとしての機能をも併せもつものである。つまり、本実施形態では、特定操作スイッチは、アップスイッチ６及びダウンスイッチ７の２つである。
【００２５】
また、おはようスイッチは８は、使用者が設定した予約時刻で温風暖房機Ａの暖房運転を自動的に開始する運転モード（おはよう運転モード）のＯＮ／ＯＦＦをコントローラ１に指示するためのスイッチ、おやすみスイッチ９は、温風暖房機Ａの運転を現在時刻からあらかじめ決められた所定時間後（例えば１時間後）に自動的に停止する運転モード（おやすみ運転モード）のＯＮ／ＯＦＦをコントローラ１に指示するためのスイッチ、時刻合わせスイッチ１０は、表示器１１ａ，１１ｂに表示される現在時刻、及びおはよう運転モードの予約時刻（暖房運転を自動的に開始する時刻）を調整する時刻調整モードをＯＮ／ＯＦＦするためのスイッチである。
【００２６】
尚、前記午前ランプ１２及び午後ランプ１３は、表示器１１ａ，１１ｂの表示時刻が午前であるか午後であるかを報知するためのランプ、時計ランプ１４は、表示器１１ａ，１１ｂの表示モードが時刻表示モードであるか否かを報知するためのランプ、おはようランプ１５は、おはよう運転モードがＯＮになっているか否かを報知するためのランプ、チャイルドロックランプ１６はチャイルドロックモードがＯＮになっているか否かを報知するためのランプである。
【００２７】
ここで、前記操作パネル２の操作による温風暖房機Ａの基本的作動を説明しておく。温風暖房機Ａの運転停止状態（待機状態）においては、コントローラ１は、表示器１１ａ，１１ｂに現在時刻を表示させている。このとき、コントローラ１は、現在時刻が午前であるか午後であるかによって、それぞれ午前ランプ１２、午後ランプ１３を点灯させる。
【００２８】
この状態で運転入／切スイッチ５が押し操作されると、コントローラ１は、温風暖房機Ａの暖房運転（より詳しくは、図示しないバーナの燃焼運転及びファンモータの作動）を開始させる。尚、温風暖房機Ａの暖房運転中においては、コントローラ１は、基本的には表示器１１ａ，１１ｂにそれぞれ設定室温と現在室温（現在室温の検出値）とを表示させ、その設定室温に現在室温がほぼ一致するようにバーナ（図示しない）の燃焼量や、温風送風量を前記アクチュエータ類４を介して制御する。尚、暖房運転中に運転入／切スイッチ５が押し操作されると、コントローラ１は、温風暖房機Ａの暖房運転を停止させる。
【００２９】
表示器１１ａ，１１ｂに設定室温及び現在室温が表示されている暖房運転中に、アップスイッチ６あるいはダウンスイッチ７が単独で押し操作されると、その押し操作の度に、コントローラ１は、表示器１１ａに表示される設定室温を増加あるいは減少すると共に、該設定室温を図示しないＥＥＰＲＯＭ等のメモリに記憶保持し、その設定室温に基づいてバーナの燃焼量等を上述のように制御する。
【００３０】
また、暖房運転中におやすみスイッチ９が押し操作されると、コントローラ１は温風暖房機Ａの運転モードをおやすみ運転モードに設定し、現在時刻（より詳しくはおやすみスイッチ９が押し操作された時刻）から所定時間後に、温風暖房機Ａの暖房運転を自動的に停止させる。尚、おやすみ運転モードがＯＮになっているときに、おやすみスイッチ９が押し操作されると、おやすみ運転モードが解除される。
【００３１】
また、暖房運転中及び運転停止中のいずれであっても、おはようスイッチ８が押し操作されると、コントローラ１はおはよう運転モードをＯＮにしておはようランプ１５を点灯させると共に、表示部１１ａ，１１ｂに暖房運転を開始する時刻として現在設定されている予約時刻を所定時間、表示させる。そして、おはよう運転モードがＯＮになると、コントローラ１は、現在設定されている予約時刻で、自動的に暖房運転を開始させる。尚、おはよう運転モードのＯＮに応じて予約時刻が所定時間表示された後には、あるいは、該所定時間内に、アップスイッチ６あるいはダウンスイッチ７が押し操作されたときには、コントローラ１は、表示器１１ａ，１１ｂの表示を、暖房運転中であれば設定室温及び現在室温の表示に切替え、運転停止中であれば現在時刻の表示に切替える。この場合、設定室温は現状に維持される（アップスイッチ６あるいはダウンスイッチ７の押し操作に応じた設定室温の増減は、暖房運転中に設定室温及び現在室温が表示部１１ａ，１１ｂに表示されている状態でのみ行われる）。また、おはよう運転モードがＯＮになっているときに、おはようスイッチ８を押し操作すると、おはよう運転モードが解除される。
【００３２】
また、暖房運転中及び運転停止中のいずれであっても、時刻合わせスイッチ１０が押し操作されると、コントローラ１は現在時刻調整モードを開始する。この現在時刻調整モードでは、コントローラ１は、現在時刻を表示器１１ａ，１１ｂに表示させ、アップスイッチ６あるいはダウンスイッチ７の押し操作に応じてそれぞれ現在時刻を進ませたり、遅らせたりする。そして、時刻合わせスイッチ１０が再度押し操作されると、コントローラ１は、現在時刻調整モードを終了して、最終的に設定された時刻からの計時を開始すると共に、前記おはよう運転モードに係わる予約時刻調整モードを開始する。この予約時刻調整モードでは、コントロータ１は、現在設定されている予約時刻を表示器１１ａ，１１ｂに表示させ、アップスイッチ６あるいはダウンスイッチ７の押し操作に応じてそれぞれ予約時刻を進ませたり、遅らせたりする。そして、時刻合わせスイッチ１０が再度押し操作されると、コントローラ１は、予約時刻調整モードを終了して、最終的に設定された予約時刻をＥＥＰ　ＲＯＭ等のメモリに記憶保持する。尚、予約時刻調整モードが終了すると、コントローラ１は、表示器１１ａ，１１ｂの表示を、暖房運転中であれば設定室温及び現在室温の表示に切替え、運転停止中であれば現在時刻の表示に切替える。
【００３３】
また、暖房運転中及び運転停止中のいずれであっても、アップスイッチ６及びダウンスイッチ７の両者が同時に押し操作されたとき（より詳しくは、両者が押されている状態が同時に成立したとき。以下、このようなアップスイッチ６及びダウンスイッチ７の操作をロック操作という）には、コントローラ１はチャイルドロックモードをＯＮにすると共に、前記チャイルドロックランプ１６を点灯させる。このチャイルドロックモードでは、コントローラ１は、暖房運転を停止させるための操作パネル２の操作（暖房運転中における運転入／切スイッチ５の押し操作）、並びに、チャイルドロックモードを解除（ＯＦＦ）するための操作パネル２の操作（これは本実施形態では上記ロック操作と同じ操作である）以外の操作がなされても、それらの操作を受付けず、温風暖房機Ａの動作状態を維持する。より具体的には、チャイルドロックモードがＯＮになっているときには、おやすみスイッチ９の押し操作による前述のおやすみモードのＯＮ／ＯＦＦ、おはようスイッチ８の押し操作による前述のおはようモードのＯＮ／ＯＦＦ、時刻合わせスイッチ１０の操作による前述の時刻調整モードのＯＮ／ＯＦＦ、暖房運転中におけるアップスイッチ６あるいはダウンスイッチ７の押し操作による前述の設定温度の増減、運転停止中における運転入／切スイッチ５の押し操作による暖房運転の開始、というような作動がコントローラ１によって禁止される。これにより、温風暖房機Ａの運転モードの状態、表示器１１ａ，１１ｂの表示モードの状態、設定温度の状態がロック対象状態として変更が禁止される。尚、時刻調整モードのＯＮ／ＯＦＦが禁止されることで、結果的には表示器１１ａ，１１ｂの表示モードの変更が禁止される。また、チャイルドロックモードのＯＮ状態において、運転入／切スイッチ５の押し操作による暖房運転の停止を禁止するようにして、チャイルドロックモードの解除操作しか受付けないようにしてもよい。
【００３４】
上記チャイルドロックモードをＯＮにする場合（温風暖房機Ａの動作状態をチャイルドロックモードに移行させる場合）におけるコントローラ１の処理を以下にさらに説明する。コントローラ１は、温風暖房機Ａの暖房運転中及び運転停止中のいずれにおいても、図３のフローチャートに示すルーチン処理を実行する。尚、以下の説明ではアップスイッチ６及びダウンスイッチ７を特に区別する必要がないときは、それらを総称的にアップ／ダウンスイッチ６，７と称する
コントローラ１は、スイッチ操作の受付の有無を判断する（ＳＴＥＰ１）。ここで、ＳＴＥＰ１の判断では、コントローラ１は、操作パネル２の各操作スイッチ５〜１０について、該操作スイッチが非操作状態から押し操作されたとき（該操作スイッチが押し操作されたときにコントローラ１に入力される信号が立ち上がったとき）に、スイッチ操作の受付有りと判断する。尚、操作スイッチ５〜１０のいずれかのスイッチ操作の受付が有った後、該操作スイッチが継続的に押し操作されている状態では、該操作スイッチに関するＳＴＥＰ１の判断結果はＮＯになる。
【００３５】
このとき、ＳＴＥＰ１の判断結果がＮＯである場合には、コントローラ１は、後述するＳＴＥＰ１０〜１３の処理を経て、再び、ＳＴＥＰ１の判断処理を実行する。そして、これらの処理の合間に、いずれかの操作スイッチが非操作状態から押し操作されて、ＳＴＥＰ１の判断結果がＹＥＳになると、コントローラ１は、ＳＴＥＰ１で受付けたスイッチ操作がアップスイッチ６の押し操作であるか否かを判断し（ＳＴＥＰ２）、アップスイッチ６の押し操作でない場合には、さらにダウンスイッチ７の押し操作であるか否かを判断する（ＳＴＥＰ３）。そして、このとき、コントローラ１は、アップスイッチ６の押し操作である場合には、ロック受付アップ待ち状態であるか否かを判断し（ＳＴＥＰ４）、ダウンスイッチ７の押し操作である場合には、ロック受付ダウン待ち状態であるか否かを判断する（ＳＴＥＰ５）。ここで、ロック受付アップ待ち状態は、ダウンスイッチ７の押し操作が行われている状態（ダウンスイッチ７の押し操作の受付が既にあって、且つ、該ダウンスイッチ７の押し操作が継続している状態）で、チャイルドロックモードへの移行のためにアップスイッチ６の押し操作の受付を待っている状態である。また、ロック受付ダウン待ち状態は、アップスイッチ６の押し操作が行われている状態（アップスイッチ６の押し操作の受付が既にあって、且つ、該アップスイッチ６の押し操作が継続している状態）、チャイルドロックモードへの移行のためにダウンスイッチ７の押し操作の受付を待っている状態である。
【００３６】
ＳＴＥＰ４でロック受付アップ待ち状態である場合、あるいは、ＳＴＥＰ５でロック受付ダウン待ち状態である場合には、コントローラ１は、ＳＴＥＰ６において、アップ／ダウンスイッチ６，７が同時に押し操作状態にされるロック操作を有効とし、チャイルドロックモードをＯＮにする（温風暖房機Ａの状態がチャイルドロックモードに移行する）。
【００３７】
また、ＳＴＥＰ４で、ロック受付アップ待ち状態でない場合には、コントローラ１は、ロック受付ダウン待ち状態となり（ＳＴＥＰ７）、後述するＳＴＥＰ１０からの処理を実行する。同様に、ＳＴＥＰ５で、ロック受付ダウン待ち状態でない場合には、コントローラ１はロック受付ダウン待ち状態となり（ＳＴＥＰ８）、後述するＳＴＥＰ１０からの処理を実行する。
【００３８】
また、ＳＴＥＰ１で受け付けたスイッチ操作が、アップ／ダウンスイッチ６，７のいずれの押し操作でもなく、ＳＴＥＰ４及び５の判断結果がＮＯとなった場合、すなわち、ＳＴＥＰ１で受け付けたスイッチ操作が、アップ／ダウンスイッチ６，７以外の操作スイッチ（これは本実施形態では、前記運転入／切スイッチ５、おはようスイッチ８、おやすみスイッチ９、及び時刻合わせスイッチ１０のいずれかである）である場合には、コントローラ１は、ＳＴＥＰ９において、ロック受付アップ待ち状態及びロック受付ダウン待ち状態を無効として、これらの待ち状態を解除した後、後述するＳＴＥＰ１０からの処理を実行する。尚、ＳＴＥＰ９の処理の際に、ロック受付アップ待ち状態及びロック受付ダウン待ち状態のいずれでもない場合には、該ＳＴＥＰ９の処理は実質的には実行されずに、ＳＴＥＰ１０からの処理が実行されることとなる。また、ロック受付アップ待ち状態及びロック受付ダウン待ち状態は、いずれか一方の状態しか採れないので、ＳＴＥＰ９の処理は、実際には、ロック受付アップ待ち状態である場合にその待ち状態が無効にされ、ロック受付ダウン待ち状態である場合にその待ち状態が無効にされるという処理になる。
【００３９】
ＳＴＥＰ１０では、コントローラ１は、ロック受付ダウン待ち状態であるか否かを判断し、この判断結果がＮＯである場合には、さらに、ロック受付アップ待ち状態であるか否かを判断する（ＳＴＥＰ１１）。そして、ＳＴＥＰ１０で、ロック受付ダウン待ち状態である場合には、コントローラ１はさらにアップスイッチ６の押し操作が、ＳＴＥＰ１で受け付けてから現在まで継続しているか否かを判断し（ＳＴＥＰ１２）、この判断結果がＮＯである場合には、前記ＳＴＥＰ９の処理を実行し、ロック受付ダウン待ち状態を無効にする（解除する）。同様に、ＳＴＥＰ１１で、ロック受付アップ待ち状態である場合には、コントローラ１はさらにダウンスイッチ７の押し操作が、ＳＴＥＰ１で受け付けてから現在まで継続しているか否かを判断し（ＳＴＥＰ１３）、この判断結果がＮＯである場合には、前記ＳＴＥＰ９の処理を実行し、ロック受付アップ待ち状態を無効にする（解除する）。
【００４０】
そして、ＳＴＥＰ１３の判断結果がＹＥＳである場合には、ＳＴＥＰ１の判断処理が再び実行される（この場合、ロック受付アップ待ち状態は継続する）。同様に、ＳＴＥＰ１２の判断結果がＹＥＳである場合には、ＳＴＥＰ１１の判断処理を経て（このときのＳＴＥＰ１１の判断結果はＮＯになる）、ＳＴＥＰ１の判断処理が再び実行される（この場合、ロック受付ダウン待ち状態は継続する）。尚、ＳＴＥＰ１２の判断結果がＹＥＳである場合には、ＳＴＥＰ１１の判断結果はＮＯになるので、該ＳＴＥＰ１１の判断処理を省略して、直ちにＳＴＥＰ１の判断処理を実行するようにしてもよい。
【００４１】
以上説明したコントローラ１の処理によって、基本的には、アップ／ダウンスイッチ６，７の押し操作を開始したタイミングの前後関係によらずに両スイッチ６，７が同時に押し操作されている状態になると、チャイルドロックモードがＯＮになる。より具体的には、例えばアップスイッチ６を先行して押し操作するとロック受付ダウン待ち状態になり（ＳＴＥＰ７を参照）、さらに、該アップスイッチ７を押し操作したまま、ダウンスイッチ７を押し操作すると、ＳＴＥＰ３，５の判断結果が両者ともＹＥＳになって、チャイルドロックモードがＯＮになる。同様に、ダウンスイッチ７を先行して押し操作するとロック受付アップ待ち状態になり（ＳＴＥＰ８を参照）、さらに、該ダウンスイッチ７を押し操作したまま、アップスイッチ６を押し操作すると、ＳＴＥＰ２，４の判断結果が両者ともＹＥＳになって、チャイルドロックモードがＯＮになる。
【００４２】
尚、暖房運転中で且つ表示器１１ａ，１１ｂに設定室温及び現在室温が表示されている状態において、アップスイッチ６及びダウンスイッチ７のいずれか一方のスイッチを先行して押し操作した時に、設定温度が増加又は減少するが、その後に他方のスイッチを押し操作することで、設定温度は元に戻る。従って、設定温度は、ロック操作をする直前の温度に維持され、該ロック操作によって変更されることはない。また、図３のフローチャートでは明記していないが、例えば設定温度があらかじめ定められた上限温度になっている状態でアップスイッチ６及びダウンスイッチ７を順次押し操作して、ロック操作を行ったときには、アップスイッチ６を押し操作したときに設定温度は増加しないので、続いてダウンスイッチ７を押し操作しても、設定温度は減少しないようになっている。このことは、設定温度があらかじめ定められた下限温度になっている状態でダウンスイッチ７及びアップスイッチ６を順次押し操作して、ロック操作を行った場合についても同様である。このように本実施形態では、ロック操作におけるアップ／ダウンスイッチ６，７の操作によっては、設定温度は変化しないようになっている。
【００４３】
一方、アップスイッチ６の押し操作の開始時点とダウンスイッチ７の押し操作の開始時点との間の時間内で、これらのアップ／ダウンスイッチ６，７以外の操作スイッチが押し操作されると、ＳＴＥＰ３の判断結果がＮＯとなって、ロック受付アップ待ち状態及びロック受付ダウン待ち状態が無効になるため、最終的にアップ／ダウンスイッチ６，７の両者が押し操作された状態が同時に成立するようになっても、チャイルドロックモードはＯＮにならない。このため、次にような効果を奏する。例えば手指の大きい使用者がチャイルドロックモードをＯＮにするためにロック操作を行うとき、アップスイッチ６を押し操作した後、ダウンスイッチ７を押し操作する際におはようスイッチ８にも指が当接して該おはようスイッチ８がダウンスイッチ７よりも先に押し操作されてしまうことがある。このとき、おはようスイッチ８の押し操作に応じておはよう運転モードのＯＮあるいはＯＦＦが行われた後に、ダウンスイッチ７が押し操作されることとなる。このため、仮にダウンスイッチ７の押し操作によって、最終的にアップ／ダウンスイッチ６，７の両者が同時に押し操作された状態になったときにチャイルドロックモードをＯＮにすると、ロック操作の開始直前（ここではアップスイッチ６の押し操作の開始直前）における運転モードのＯＮ／ＯＦＦ状態と異なる状態でチャイルドロックモードがＯＮになってしまう。つまり、使用者の意図しない状態でチャイルドロックモードがＯＮになってしまう。
【００４４】
しかるに、本実施形態では、上記のようにアップスイッチ６の押し操作の開始時点とダウンスイッチ７の押し操作の開始時点との間の時間内で、おはようスイッチ８等、アップ／ダウンスイッチ６，７以外の操作スイッチが押し操作されると、前記ＳＴＥＰ３の判断結果がＮＯとなり、ロック受付ダウン待ち状態及びロック受付アップ待ち状態が無効になる（ＳＴＥＰ９を参照）。従って、上記のようにアップスイッチ６の押し操作開始後、ダウンスイッチ７の押し操作開始前におはようスイッチ８が誤って押し操作されても、チャイルドロックモードはＯＮにならない。このことは、ロック操作におけるアップ／ダウンスイッチ６，７の操作順序によらず、それらの押し操作の開始タイミングの間で誤って該アップ／ダウンスイッチ６，７以外の他の操作スイッチが操作された場合でも同様である。
【００４５】
このため、本実施形態の装置では、ロック操作の際に使用者が誤ってアップ／ダウンスイッチ６，７以外の操作スイッチに触れて該操作スイッチを押し操作してしまった場合に、温風暖房機Ａが使用者が意図しない運転モードや表示モード、設定温度の状態でチャイルドロックモードがＯＮになってしまうような事態を防止できる。
【００４６】
また、本実施形態の装置では、ロック操作におけるアップ／ダウンスイッチ６，７の押し操作の合間に他の操作スイッチが操作されない限り、アップスイッチ６の押し操作の開始時点とダウンスイッチ７の押し操作の開始時点との間の時間差によらずに、チャイルドロックモードをＯＮにすることができる。このため、使用者は、ロック操作のためのアップ／ダウンスイッチ６，７とを順番にゆっくり操作すればよい。従って、使用者はロック操作に際して、アップ／ダウンスイッチ６，７の押し操作を行うタイミングを気にする必要がなく、ロック操作の操作性を高めることができる。その結果、ロック操作に際しての誤操作も低減することができ、ひいては、使用者が意図しない状態でチャイルドロックモードがＯＮになってしまうような事態の発生を低減することができる。
【００４７】
尚、前記図３のフローチャートでは、チャイルドロックモードをＯＮする場合について説明したが、チャイルドロックモードをＯＦＦにする場合におけるコントローラ１の処理は、例えばチャイルドロックモードをＯＮにする場合と同様に行われる。この場合には、図３のＳＴＥＰ６でチャイルドロックモードがＯＦＦにされる（解除される）こととなる。但し、チャイルドロックモードをＯＦＦにする場合の操作に関しては、必ずしもＯＮにする場合と同じにする必要はなく、例えば、アップ／ダウンスイッチ６，７のそれぞれの押し操作の開始時点の間の時間内に、該アップ／ダウンスイッチ６，７以外の操作スイッチが操作された場合でも、最終的にアップ／ダウンスイッチ６，７の両者が同時に押し操作された状態になったときに常にチャイルドロックモードをＯＦＦにするようにしてもよい。
【００４８】
次に本発明の第２実施形態を図４を参照して説明する。尚、本実施形態は、チャイルドロックモードに係わるコントローラ１の処理のみが前記第１実施形態と相違するものであるので、該第１実施形態と同一構成あるいは同一機能の部分については説明を省略する。
【００４９】
前記第１実施形態は、ロック操作におけるアップスイッチ６の操作開始時点と、ダウンスイッチ７の操作開始時点との間の時間内で、該アップ／ダウンスイッチ６，７以外の操作スイッチが誤って押し操作された場合を考慮したものであるが、アップ／ダウンスイッチ６，７のそれぞれの操作開始時点の間の時間内でおはようスイッチ８等の他の操作スイッチが押し操作されていない場合であっても、例えば以下に説明するような状況でロック操作を行った場合に、温風暖房機Ａの運転モードや設定温度の状態が、使用者の意図しない状態に変化して、チャイルドロックモードがＯＮになってしまう場合がある。
【００５０】
例えば、おやすみ運転モードでの暖房運転中に、アップ／ダウンスイッチ６，７のそれぞれの操作開始時点の間の時間内でコントローラ１が自動的に暖房運転を停止すると、アップ／ダウンスイッチ６，７のうちの先行側のスイッチの押し操作による設定温度の増加又は減少後に温風暖房機Ａの運転停止状態となる。そして、このような場合には、アップ／ダウンスイッチ６，７のうちの後行側のスイッチが押し操作されたときには、設定温度が変更できない状態（本実施形態の温風暖房機Ａでは運転停止状態ではアップ／ダウンスイッチ６，７を押し操作しても設定温度は変化しない）となっている。従って、このような場合にアップ／ダウンスイッチ６，７のうちの後行側のスイッチの押し操作に応じて、チャイルドロックモードがＯＮになると、ロック操作の開始前とロック操作の終了後とでは、設定温度や温風暖房機Ａの運転状態が異なるものとなる。
【００５１】
また、例えばおはようスイッチ８の押し操作によって、表示器１１ａ，１１ｂにおはよう運転モードの開始時刻（予約時刻）が表示されている状態において、ロック操作が行われたときには、前述したようにアップ／ダウンスイッチ６，７のいずれか一方の押し操作が行われた時に、表示器１１ａ，１１ｂの表示モードが時刻表示モードから、設定室温及び現在室温の表示モードに切替り、設定温度は変更されない。つまり、おはよう運転モードの開始時刻が表示器１１ａ，１１ｂに表示されている条件下では、アップ／ダウンスイッチ６，７の機能は、単に表示モードを切換える切換える機能となっている。従って、チャイルドロックモードをＯＮにするために最終的にアップ／ダウンスイッチ６，７の他方の押し操作が行われると設定温度が、ロック操作の開始直前における設定温度から増加又は減少する。このため、このような状況下で、チャイルドロックモードをＯＮにすると、ロック操作の開始前とロック操作の終了後とでは、設定温度が異なるものとなってしまう。
【００５２】
本実施形態は、上記のような不都合を解消するようにしたものであり、チャイルドロックモードをＯＮにする場合におけるコントローラ１の処理を以下に説明するように実行される。
【００５３】
コントローラ１は、図４のフローチャートに示すルーチン処理を実行する。コントローラ１はＳＴＥＰ２１において、まず、後述する器具状態の記憶のホールド中か否かを判断する。このときホールド中でなければ、コントローラ１は温風暖房機Ａの現在状態（以下、器具状態という）を図示しないメモリに記憶する（ＳＴＥＰ２２）。ここで、記憶する器具状態は、例えば温風暖房機Ａの運転停止中であるか否かの状態、おはやよう運転モードのＯＮ／ＯＦＦ状態、おやすみ運転モードのＯＮ／ＯＦＦ状態、設定温度の状態、表示器１１ａ，１１ｂの表示モードの状態であり、チャイルドロックモードがＯＮになったときに、変更が禁止される状態、すなわち、ロック対象状態である。尚、ＳＴＥＰ２１において、器具状態記憶のホールド中である場合には、ＳＴＥＰ２２の処理は省略される。
【００５４】
次いで、コントローラ１は、前記図３のＳＴＥＰ１〜５と同様の判断処理をＳＴＥＰ２３〜２７で実行する。すなわち、ＳＴＥＰ２３において、スイッチ操作の受付の有無が判断され、スイッチ操作の受付有りの場合には、さらに、受付けたスイッチ操作がアップスイッチ６の押し操作及びダウンスイッチ７の押し操作のいずれであるかの判断がＳＴＥＰ２４，２５において実行される。そして、受付けたスイッチ操作がアップスイッチ６の押し操作である場合（ＳＴＥＰ２４でＹＥＳ）には、ロック受付アップ待ち状態であるか否かがＳＴＥＰ２６で判断され、受付けたスイッチ操作がダウンスイッチ７の押し操作である場合（ＳＴＥＰ２５でＹＥＳ）には、ロック受付ダウン待ち状態であるか否かがＳＴＥＰ２７で判断される。尚、ＳＴＥＰ２３の判断結果がＮＯである場合（スイッチの受付けがない場合）、あるいは、ＳＴＥＰ２５の判断結果がＮＯである場合（受付けたスイッチ操作がアップ／ダウンスイッチ６，７の押し操作でない場合）には、後述するＳＴＥＰ３３からの処理が実行される。
【００５５】
ＳＴＥＰ２６の判断結果がＮＯである場合（ロック受付アップ待ち状態でない場合）には、コントローラ１はＳＴＥＰ２８において、ロック受付ダウン待ち状態となると共に、ＳＴＥＰ２２で取得した器具状態の記憶をホールドする（器具状態の記憶内容の更新を禁止する）。同様に、ＳＴＥＰ２７の判断結果がＮＯである場合（ロック受付ダウン待ち状態でない場合）には、コントローラ１はＳＴＥＰ２９において、ロック受付アップ待ち状態となると共に、ＳＴＥＰ２２で取得した器具状態の記憶をホールドする（器具状態の記憶内容の更新を禁止する）。尚、ロック受付ダウン待ち状態及びロック受付アップ待ち状態の意味は前記第１実施形態の場合と同じである。上記のようにＳＴＥＰ２２で取得した器具状態の記憶をホールドすることにより、ロック操作のためにアップスイッチ６及びダウンスイッチ７のいずれか一方を最初に押し操作した時、その押し操作の直前における温風暖房機Ａの状態が記憶保持されることとなる。
【００５６】
一方、ＳＴＥＰ２６又はＳＴＥＰ２７の判断結果がＹＥＳである場合、すなわち、ロック受付アップ待ち状態でアップスイッチ６が押し操作され、あるいは、ダウン受付アップ待ち状態でダウンスイッチ７が押し操作された場合には、コントローラ１は、ホールド中の器具状態が、現在の器具状態と一致するか否かをＳＴＥＰ３０で判断する。このとき、ホールド中の器具状態が、現在の器具状態と一致する場合には、ＳＴＥＰ３１において、アップ／ダウンスイッチ６，７が同時に押し操作状態にされるロック操作を有効として、チャイルドロックモードをＯＮにする（この処理は前記図３のＳＴＥＰ６の処理と同じである）と共に、器具状態の記憶のホールドを解除する。
【００５７】
また、ＳＴＥＰ３０で、ホールド中の器具状態と現在の器具状態とが異なる場合には、コントローラ１は、ＳＴＥＰ３２において、ロック受付アップ待ち状態及びロック受付ダウン待ち状態を無効とする（この処理は前記図３のＳＴＥＰ９の処理と同じである）と共に、器具状態の記憶のホールドを解除する。
【００５８】
ＳＴＥＰ２８〜３２の処理の後には、コントローラ１は、ＳＴＥＰ３３〜３６の処理を図３のＳＴＥＰ１０〜１３と同様に実行する。すなわち、ＳＴＥＰ３３及びＳＴＥＰ３４において、ロック受付ダウン待ち状態もしくはロック受付アップ待ち状態であるかが判断され、ロック受け付けダウン待ち状態でアップスイッチ６の押し操作が継続している場合（ＳＴＥＰ３５でＹＥＳ）、あるいは、ロック受付アップ待ち状態でダウンスイッチ７の押し操作が継続している場合（ＳＴＥＰ３６でＹＥＳ）には、この前記ＳＴＥＰ２１からの処理が再び行われる。また、ロック受け付けダウン待ち状態でアップスイッチ６の押し操作が継続していない場合（ＳＴＥＰ３５でＮＯ）、あるいは、ロック受付アップ待ち状態でダウンスイッチ７の押し操作が継続していない場合（ＳＴＥＰ３６でＮＯ）には、前記ＳＴＥＰ３２の処理が実行され、ロック受付アップ待ち状態及びロック受付ダウン待ち状態が無効にされると共に、器具状態の記憶のホールドが解除される。
【００５９】
以上説明したコントローラ１の処理によって、前記第１実施形態のものと同様に、基本的には、アップ／ダウンスイッチ６，７の押し操作を開始したタイミングの前後関係によらずに両スイッチ６，７が同時に押し操作されている状態になると、チャイルドロックモードがＯＮになる。
【００６０】
但し、アップ／ダウンスイッチ６，７のいずれもが押し操作が行われていない状態（非操作状態）からいずれか一方のスイッチの押し操作を開始した直前における温風暖房機Ａの動作状態（ＳＴＥＰ２８あるいはＳＴＥＰ２９でホールドされる器具状態）と、他方のスイッチの押し操作を行ってロック操作を完了した時の温風暖房機Ａの器具状態とが異なる場合（ＳＴＥＰ３０でＮＯ）の場合には、ロック操作が完了しても、チャイルドロックモードはＯＮにならない（ＳＴＥＰ３２を参照）。
【００６１】
このため、前述したように、アップ／ダウンスイッチ６，７のいずれか一方の押し操作を開始してから他方の押し操作を行ってロック操作を完了するまでに、例えばおやすみ運転モードにおける自動運転によって温風暖房機Ａの運転状態が変化したときには、ロック操作を完了してもチャイルドロックモードはＯＮにならない。これは、上記のような状況下でロック操作を行ったとき、ロック操作の開始直前における器具状態（具体的にはロック対象状態としての温風暖房機Ａの運転状態と設定温度の状態）と、ロック操作の完了時の器具状態とが前述したように異なるものとなるからである。
【００６２】
また、例えばおはようスイッチ８の押し操作によって表示器１１ａ，１１ｂにおはよう運転モードの開始時刻が表示されている条件下でアップ／ダウンスイッチ６，７の一方の押し操作が開始され、それによって設定温度が変化せずに表示器１１ａ，１１ｂの表示モードが変化したときには、ロック操作を完了してもチャイルドロックモードはＯＮにならない。これは、上記のような条件下でロック操作を行ったとき、ロック操作の開始直前における器具状態（具体的にはロック対象状態としての表示器１１ａ，１１ｂの表示モードと設定温度の状態）と、ロック操作の完了時における器具状態とが前述したように異なるものとなるからである。
【００６３】
さらに、アップ／ダウンスイッチ６，７のいずれか一方の押し操作を開始してから他方の押し操作を行ってロック操作を完了するまでに、該アップ／ダウンスイッチ６，７以外の操作スイッチ（おやすみスイッチ９等）が操作され、ロック操作の開始直前と、該ロック操作の完了時とで器具状態が変化した場合においても、前記第１実施形態と同様にチャイルドロックモードはＯＮにならない。
【００６４】
従って、本実施形態によれば、使用者が意図しない温風暖房機Ａの器具状態でチャイルドロックモードになるような事態を確実に防止できる。
【００６５】
また、本実施形態の装置においては、ロック操作におけるアップ／ダウンスイッチ６，７の押し操作の合間に器具状態が変化しない限り、アップスイッチ６の押し操作の開始タイミングとダウンスイッチ７の押し操作の開始タイミングとの間の時間差によらずに、チャイルドロックモードをＯＮにすることができる。従って、前記第１実施形態のものと同様に、ロック操作の操作性を高めて、ロック操作に際しての誤操作も低減することができ、ひいては、使用者が意図しない状態でチャイルドロックモードがＯＮになってしまうような事態の発生を低減することができる。
【００６６】
尚、前記図４のフローチャートでは、チャイルドロックモードをＯＮする場合について説明したが、チャイルドロックモードをＯＦＦにする場合におけるコントローラ１の処理は、チャイルドロックモードをＯＮにする場合と同様でもよいが、例えば前記第１実施形態のものと同様に行うようにしてもよい。
【００６７】
また、以上説明した実施形態では、アップ／ダウンスイッチ６，７を特定操作スイッチとしてチャイルドロックモードのＯＮ／ＯＦＦを行うものを示したが、本発明はこれに限定されるものではない。例えば、コントローラ１による各操作スイッチ５〜１０の押し操作の受付（認識）を、操作スイッチが押し操作された後、その押し操作が解除された時に行うようにした場合にはおはようスイッチ８及びおやすみスイッチ９の組等、２つ以上の操作スイッチを特定操作スイッチとして用いるようにしてもよい。
【００６８】
また、前記第２実施形態では、ロック操作の開始直前の器具状態を記憶し、それをロック操作の完了時の器具状態と比較することで、チャイルドロックモードをＯＮにするか否かを決定するようにしたが、このような器具状態の記憶を必ずしも行う必要はない。すなわち、操作スイッチ５〜１０の操作に対する温風暖房機Ａ（器具）の動作はあらかじめ設計的に決められる仕様である。従って、アップ／ダウンスイッチ６，７（特定操作スイッチ）の操作時の条件（他の操作スイッチの操作状態や、表示器１１ａ，１１ｂの表示モードの状態、運転モードの状態等の条件）をあらかじめ場合分けしておき、両スイッチ６，７によるロック操作を行ったときに、その前後のタイミングで器具状態が変化するような条件下では、チャイルドロックモードをＯＮにしないようにし、それ以外の条件下でチャイルドロックモードがＯＮになるように、コントローラ１の処理のアルゴリズムを構築しておくようにしてもよい。
【００６９】
また、前記第１及び第２実施形態では、温風暖房機Ａの安全装置を例にとって説明したが、本発明はこれに限られるものではなく、例えば給湯装置、風呂装置、炊飯器等の器具についても本発明を適用できる。
【図面の簡単な説明】
【図１】本発明の実施形態における器具（温風暖房機）の全体構成の概要を示すブロック図。
【図２】図１の器具に備えた操作パネルの平面図。
【図３】本発明の第１実施形態におけるコントローラの処理を示すフローチャート。
【図４】本発明の第２実施形態におけるコントローラの処理を示すフローチャート。
【符号の説明】
１…コントローラ（安全装置）、２…操作パネル、５〜１０…操作スイッチ、６，７…特定操作スイッチ。
【図１】
2004044888.tif 000003
【図２】
2004044888.tif 000004
【図３】
2004044888.tif 000005
【図４】
2004044888.tif 000006